(57)【要約】  本発明は、電子装置（１００）を管理する方法に関し、前記電子装置（１００）は、電気エネルギー（３）を格納する手段によって電気エネルギーが供給され、時間ベース（５）に接続されるマイクロコントローラ（１）を有するケースと、光量を測定する光量測定手段（９）と、及び前記電子装置（１００）が着用されているか否かを検出する磁気手段（１０）とを有し、前記マイクロコントローラは、第１の表示手段（７ａ）と、アクティブ動作モードにおいて、前記マイクロコントローラ（１）によって、少なくとも前記時間ベースによって提供される第１の時間的なデータアイテムを少なくとも表示するように制御されるように構成する第２の表示手段（７ｂ）とに接続されている。【選択図】  図２
2015525879.tif 000002
【特許請求の範囲】
【請求項１】
電子装置（１００）を管理する方法であって、
前記電子装置（１００）は、電気エネルギー（３）を格納する手段によって電気エネルギーが供給され、時間ベース（５）に接続されるマイクロコントローラ（１）を有するケースと、光量を測定する光量測定手段（９）と、及び前記電子装置（１００）が着用されているか否かを検出する手段（１０）とを有し、
前記マイクロコントローラは、電気モーターによって動く少なくとも１つの針セットを有する第１の表示手段（７ａ）と、及びアクティブ動作モードにおいて、前記マイクロコントローラ（１）によって、少なくとも前記時間ベースによって提供される第１の時間的なデータアイテムを少なくとも表示するように制御されるように構成する、少なくとも１つのデジタル表示を示す第２の表示手段（７ｂ）とに接続されており、当該方法は、
（ａ）アクティブ動作モードの１つに対応し、前記時間ベースによって少なくとも供給された前記第１の時間的なデータアイテムを少なくとも表示するステップと、
（ｂ）前記時間ベースによって供給された第２の時間的なデータアイテムにリンクされた第１の基準をテストして、この第１の基準が満たされる場合には、次のステップに移り、満たさない場合には、前記ステップ（ａ）を繰り返すステップと、及び
（ｃ）前記電子装置（１００）が着用されているか否かを検出する手段（１０）によって供給される運動にリンクされた第２の基準をテストして、この第３の基準が満たされる場合には、次のステップに移り、満たさない場合には、前記ステップ（ａ）を繰り返すステップとを有し、
当該方法は、さらに、（ｄ）物理的な大きさを表す第３の基準をテストして、前記第１、第２及び第３の基準が満たされる場合には、前記アクティブ動作モードからスタンバイモードへの変更を行うステップを有し、
前記ステップ（ｂ）、（ｃ）及び（ｄ）は、前記第１、第２及び第３の基準が満たされるまで行われ、規則的な間隔で、干渉が最小になるように、前記少なくとも１つの針の前記電気モーターの前記ローターの位置がステップ（ｂ）、（ｃ）及び（ｄ）で同一であるように計算される
ことを特徴とする方法。
【請求項２】
電子装置（１００）を管理する方法であって、前記電子装置（１００）は、電気エネルギー（３）を格納する手段によって電気エネルギーが供給され、時間ベース（５）に接続されるマイクロコントローラ（１）を有するケースと、光量を測定する光量測定手段（９）と、及び前記電子装置（１００）が着用されているか否かを検出する手段（１０）とを有し、
前記マイクロコントローラは、電気モーターによって動く少なくとも１つの針セットを有する第１の表示手段（７ａ）と、
アクティブ動作モードにおいて、前記マイクロコントローラ（１）によって、少なくとも前記時間ベースによって提供される第１の時間的なデータアイテムを少なくとも表示するように制御されるように構成する少なくとも１つのデジタル表示を示す第２の表示手段（７ｂ）とに接続されており、当該方法は、
（ａ）アクティブ動作モードの１つに対応し、前記時間ベースによって少なくとも供給された前記第１の時間的なデータアイテムを少なくとも表示するステップと、
（ｂ）前記時間ベースによって供給された第２の時間的なデータアイテムにリンクされた第１の基準をテストして、この第１の基準が満たされる場合には、次のステップに移り、満たさない場合には、前記ステップ（ａ）を繰り返すステップと、及び
（ｃ）前記電子装置（１００）が着用されているか否かを検出する手段（１０）によって供給される運動にリンクされた第２の基準をテストして、この第３の基準が満たされる場合には、次のステップに移り、満たさない場合には、前記ステップ（ａ）を繰り返すステップとを有し、
当該方法は、さらに、（ｄ）物理的な大きさを表す第３の基準をテストして、前記第１、第２及び第３の基準が満たされる場合には、前記アクティブ動作モードからスタンバイモードへの変更を行うステップを有する
ことを特徴とする方法。
【請求項３】
前記第３の基準は、前記光量測定手段（９）によって供給される光量データアイテムにリンクされており、前記第３の基準に応じて、前記アクティブ動作モードから、前記第１の表示手段が動作しない低度スタンバイモードへと変わることを可能にする
ことを特徴とする請求項１に記載の電子装置を管理する方法。
【請求項４】
前記ステップ（ｄ）は、前記光量測定手段（９）が測定した光量値を第１の光量しきい値と比較することを伴い、前記第２の基準は、測定された光量値が前記第１の光量しきい値以下である場合に認証される
ことを特徴とする請求項３に記載の電子装置を管理する方法。
【請求項５】
前記ステップ（ｂ）は、前記時間ベース（５）によって測定された時間を第１の時間区間と比較することを伴い、前記第１の基準は、前記時間ベース（５）によって測定された前記時間が前記第１の時間区間内に含まれる場合に満たされる
ことを特徴とする請求項３又は４に記載の電子装置を管理する方法。
【請求項６】
第２及び第３の基準は、前記第１の基準がテストされた後に、前記第１の基準が満たされる場合に、お互い同時にテストされる
ことを特徴とする請求項３〜５のいずれかに記載の電子装置を管理する方法。
【請求項７】
前記第３の基準は、カウンターの値を第１のカウンター値に対してテストすることを伴い、前記第３の基準に応じて、前記アクティブ動作モードから、前記第１の表示手段及び前記第２の表示手段が動作しない高度スタンバイモードへの変更を可能にする
ことを特徴とする請求項２に記載の電子装置を管理する方法。
【請求項８】
前記ステップ（ｂ）は、前記時間ベース（５）によって伝えられた時間データアイテムを第２の時間値と比較することを伴い、前記第２の基準は、前記時間ベースによって伝えられた前記時間データアイテムが前記第２の時間値と同一の場合に満たされる
ことを特徴とする請求項７に記載の電子装置を管理する方法。
【請求項９】
前記第１の基準は、前記第２及び第３の基準より前にテストされ、前記第２の基準は、前記第１の基準が満たされる場合にテストされ、前記第２の基準が満たされる場合に、前記カウンター値が増分され前記第３の基準がテストされる
ことを特徴とする請求項７に記載の電子装置を管理する方法。
【請求項１０】
前記ステップ（ｃ）は、前記電子装置が着用されているか否かを検出する手段によって提供される運動データにリンクされた第２の基準をテストするように構成し、
瞬間Ｔiにおいて前記電子装置の前記検出手段（１０）を介して前記電子装置の位置の第１の測定を行うステップと、
前記第１の測定結果を、記憶素子に格納され瞬間Ｔi-1において行われた第２の測定と比較するステップとを伴い、
前記第３の基準は、前記第１及び第２の測定が同一の場合に認証され、そうでない場合には、前記記憶素子の値を瞬間Ｔiで行った前記第１の測定値で置き換える
ことを特徴とする請求項１〜９のいずれかに記載の電子装置を管理する方法。
【請求項１１】
当該方法は、さらに、（ｆ）前記低度スタンバイモードから前記通常動作モードに変わるように構成することを伴うステップを有し、このステップ（ｆ）は、第１の事象をテストし、前記第１の事象のテストを満たす場合に、前記低度スタンバイモードから前記通常動作モードに変わることを伴う
ことを特徴とする請求項３に記載の電子装置を管理する方法。
【請求項１２】
当該方法は、さらに、（Ｆ）前記高度スタンバイモードから前記通常動作モードに変わるように構成するステップを有し、このステップ（Ｆ）は、第２の事象をテストし、前記第２の事象のテストを満たす場合に、前記高度スタンバイモードから前記通常動作モードに変わることを伴う
ことを特徴とする請求項７に記載の電子装置を管理する方法。
【請求項１３】
前記第１の事象をテストするように構成する動作は、前記アクティブ化手段（１３）の電気的な状態の変化を検出することを伴う
ことを特徴とする請求項１１に記載の電子装置を管理する方法。
【請求項１４】
第１の事象をテストするように構成する動作は、測定された物理的な大きさを前記物理的な大きさの基準値と比較することを伴い、前記第１の事象は、前記測定された物理的な大きさが前記物理的な大きさの前記基準値と同一である場合に満たされる
ことを特徴とする請求項１１に記載の電子装置を管理する方法。
【請求項１５】
前記測定された物理的な大きさは光量であり、前記測定された光量値が第２の光量しきい値と比較される
ことを特徴とする請求項１４に記載の電子装置を管理する方法。
【請求項１６】
前記第２の光量しきい値は、前記第１の光量しきい値と同一である
ことを特徴とする請求項１５に記載の電子装置を管理する方法。
【請求項１７】
前記測定された物理的な大きさは、時間的なデータアイテムであり、前記測定された時間的なデータアイテムは、第３の時間値と比較される
ことを特徴とする請求項１４に記載の電子装置を管理する方法。
【請求項１８】
前記第２の事象をテストするように構成する動作は、測定された時間データアイテムを第４の時間値と比較することを伴う
ことを特徴とする請求項１２に記載の電子装置を管理する方法。
【請求項１９】
前記第１、第２及び第３の基準が満たされるまで、干渉を最小にするように前記ステップ（ｂ）、（ｃ）及び（ｄ）が８分ごとに行われる
ことを特徴とする請求項１に記載の電子装置を管理する方法。
【請求項２０】
電子装置（１００）であって、
当該電子装置（１００）は、電気エネルギー（３）を格納する手段によって電気エネルギーが供給され、時間ベース（５）に接続されるマイクロコントローラ（１）を有するケースと、光量を測定する光量測定手段（９）と、及び当該電子装置（１００）が着用されているか否かを検出する磁気手段（１０）とを有し、
前記マイクロコントローラは、第１の表示手段（７ａ）と、アクティブ動作モードにおいて、前記マイクロコントローラ（１）によって、少なくとも前記時間ベースによって提供される第１の時間的なデータアイテムを少なくとも表示するように制御されるように構成する第２の表示手段（７ｂ）とに接続されており、
前記マイクロコントローラは、前記時間ベース（５）によって提供される第２の時間的なデータアイテムにリンクされる第１の基準及び当該電子装置（１００）が着用されているか否かを検出する手段（１０）によって提供される運動データアイテムにリンクされる第２の基準に従って、アクティブ動作モードからスタンバイモードへの変更をアクティブにし、前記アクティブ動作モードから前記スタンバイモードへの変更は、物理的又は時間的な大きさを表す第３の基準にも従って行われる
ことを特徴とする電子装置。
【請求項２１】
前記第３の基準は、前記光量測定手段（９）によって供給される光量データアイテムにリンクされ、前記第３の基準に応じて、前記アクティブ動作モードから、前記第１の表示手段が動作しない低度スタンバイモードへの変更を可能にする
ことを特徴とする請求項２０に記載の電子装置。
【請求項２２】
前記光量データは、前記光量測定手段（９）が測定した光量値を第１の光量しきい値と比較することによって得られる
ことを特徴とする請求項２１に記載の電子装置。
【請求項２３】
前記第１の基準は、前記時間ベース（５）によって測定された時間を第１の時間区間と比較することを伴い、これによって、前記時間ベースによって測定された前記時間が前記第１の時間区間内に含まれるか否かがわかるようにする
ことを特徴とする請求項２０に記載の電子装置。
【請求項２４】
前記第３の基準は、カウンターの値を第１のカウンター値に対してテストすることを伴い、前記第３の基準に応じて、前記アクティブ動作モードから前記第１の表示手段及び前記第２の表示手段が動作しない高度スタンバイモードへの変更を可能にする
ことを特徴とする請求項２０に記載の電子装置。
【請求項２５】
前記第１の基準は、前記時間ベース（５）によって伝えられた時間的なデータアイテムを第２の時間値と比較することを伴い、前記第１の基準は、前記時間ベースによって伝えられた前記時間データが前記第２の時間値と同一である場合に満たされる
ことを特徴とする請求項２０に記載の電子装置。
【請求項２６】
当該電子装置が着用されているか否かを検出する手段（１０）によって供給される運動データは、瞬間Ｔiにおいて当該電子装置の位置の第１の位置測定を行って、前記第１の測定と、記憶素子に格納された第２の測定との比較を伴い、前記第３の基準は、前記第１及び第２の測定が同一の場合に認証される
ことを特徴とする請求項２０〜２３に記載の電子装置。
【請求項２７】
当該電子装置（１００）が着用されているか否かを検出する手段（１０）は、磁気センサー（１１）を有する
ことを特徴とする請求項２６に記載の電子装置。
【請求項２８】
前記磁気センサー（１１）は、前記ケースの内部に配置され、当該電子装置の加速度の少なくとも１つの軸を測定軸とする加速度計によって置き換えられる
ことを特徴とする請求項２７に記載の電子装置。
【請求項２９】
当該電子装置（１００）が着用されているか否かを検出する手段（１０）は、熱電気的センサー（１２）からなり、前記熱電気的センサーによって供給される運動データは、前記熱電気的センサーによってなされた測定と、体温を表す温度しきい値との比較を伴う
ことを特徴とする請求項２０〜２８のいずれかに記載の電子装置。
【請求項３０】
前記第１の表示手段（７ａ）は、電気モーターによって運動する少なくとも１つの針セットを有し、前記第２の表示手段（７ｂ）は、少なくとも１つのデジタル画面を有する
ことを特徴とする請求項２０〜２９のいずれかに記載の電子装置。
【発明の詳細な説明】
【技術分野】
【０００１】
本発明は、電気エネルギー格納手段によって電気エネルギーが供給され時間ベースに接続される電子制御回路を有するケースと、光量測定手段と、及び前記電子装置の運動を測定する手段とを有する電子装置であって、前記電子制御回路は、第１の表示手段と、及びアクティブ動作モードにおいて時間ベースによって提供されるデータを少なくとも表示する電子制御回路によって制御されるように構成する第２の表示手段にも接続されているものに関する。
【背景技術】
【０００２】
電子装置には、そのエネルギー源が時間に応じて放電してしまうという課題があることが知られている。結果的に、エネルギー源の自律性が可能な限り長くなるように電子装置のエネルギーを管理する方法が存在する。この目的のために、様々なエネルギーを管理する方法が提案されており、一般的には、これらの省エネルギー方法は、トリガー要素の発動の後に、ＬＣＤ表示又は針の運動のような最も大きく電気を消費する機能を止めることを伴う。
【０００３】
例えば、トリガー要素が実際のユーザーであるような管理手法が知られている。これはユーザー自身が省エネルギーモードの開始を制御する。これを達成するために、ユーザーは、電子装置の押しボタン又は他の制御手段を操作して、省エネルギーモードをアクティブにする。
【０００４】
この方法の課題の１つは、ユーザーの行動が系統的ではないということである。実際に、必要とされる時にユーザーが省エネルギーモードを開始させるとはかぎらない。ユーザーは、数日間留守にするときにはこのモードをアクティブにしたとしても、毎晩するとはかぎらない。したがって、最適な省エネルギーを達成できていない。
【０００５】
アクティブにする要素が物理的な大きさのレベルに基づくような方法も知られている。例えば、周辺光が特定のしきい値よりも小さくなったときにアクティブにして、電子装置の周辺が暗いことを示すことができる。電子装置が着用されていないことを検出したときにアクティブにする場合もある。これは、電子装置の任意の運動を感知することができる加速度計の使用によって達成される。
【０００６】
これらの方法の課題の１つは、必要とされないか又は望まれない場合に、省エネルギーモードが自発的にアクティブになることがあるということである。実際に、電子装置がトンネル内又は袖の内側で延長された時間を経過している場合、あるいは電子装置を着用しているユーザーが寝入って電子装置の運動がないことを検知した場合に、省エネルギーモードが不必要にアクティブになることがある。この場合、機能は非アクティブになり、ユーザーがデータに即時アクセスできないようになっており、アクセスするためには通常モードを再びアクティブにしなければならない。これは、ユーザーが焦燥感を抱く原因となる。
【発明の概要】
【発明が解決しようとする課題】
【０００７】
本発明は、信頼性が高いエネルギー管理方法を用いて電池寿命が長くなるような電子装置を提供することを提案することによって、従来技術の課題を克服することを目的とする。
【課題を解決するための手段】
【０００８】
したがって、本発明は、電子装置を管理する方法であって、前記電子装置は、電気エネルギーを格納する手段によって電気エネルギーが供給され、時間ベースに接続されるマイクロコントローラを有するケースと、光量を測定する光量測定手段と、及び前記電子装置が着用されているか否かを検出する磁気手段とを有し、前記マイクロコントローラは、電気モーターによって動く少なくとも１つの針セットを有する第１の表示手段と、及びアクティブ動作モードにおいて、前記マイクロコントローラによって、少なくとも前記時間ベースによって提供される第１の時間的なデータアイテムを少なくとも表示するように制御されるように構成する少なくとも１つのデジタル画面を有する第２の表示手段とに接続されており、当該方法は、アクティブ動作モードの１つに対応し、前記時間ベースによって少なくとも供給された前記第１の時間的なデータアイテムを少なくとも表示するステップと、前記時間ベースによって供給された第２の時間的なデータアイテムにリンクされた第１の基準をテストして、この第１の基準が満たされる場合には、次のステップに移り、満たさない場合には、前記ステップを繰り返すステップと、及び前記電子装置が着用されているか否かを検出する手段によって供給される運動にリンクされた第２の基準をテストして、この第２の基準が満たされる場合には、次のステップに移り、満たさない場合には、前記ステップを繰り返すステップとを有し、当該方法は、さらに、物理的な大きさを表す第３の基準をテストして、前記第１、第２及び第３の基準が満たされる場合には、前記アクティブ動作モードからスタンバイモードへの変更を行うステップを有し、前記ステップ、及びは、前記第１、第２及び第３の基準が満たされるまで行われ、規則的な間隔で、干渉が最小になるように、前記少なくとも１つの針の前記電気モーターの前記ローターの位置がステップ、及びで同一であるように計算されるものに関する。
【０００９】
したがって、本発明は、電子装置を管理する方法であって、前記電子装置は、電気エネルギーを格納する手段によって電気エネルギーが供給され、時間ベースに接続されるマイクロコントローラを有するケースと、光量を測定する光量測定手段と、及び前記電子装置が着用されているか否かを検出する手段とを有し、前記マイクロコントローラは、電気モーターによって動く少なくとも１つの針セットを有する第１の表示手段と、アクティブ動作モードにおいて、前記マイクロコントローラによって、少なくとも前記時間ベースによって提供される第１の時間的なデータアイテムを少なくとも表示するように制御されるように構成する少なくとも１つのデジタル画面を有する第２の表示手段とに接続されており、当該方法は、アクティブ動作モードの１つに対応し、前記時間ベースによって少なくとも供給された前記第１の時間的なデータアイテムを少なくとも表示するステップと、前記時間ベースによって供給された第２の時間的なデータアイテムにリンクされた第１の基準をテストして、この第１の基準が満たされる場合には、次のステップに移り、満たさない場合には、前記ステップを繰り返すステップと、及び前記電子装置が着用されているか否かを検出する手段によって供給される運動にリンクされた第２の基準をテストして、この第２の基準が満たされる場合には、次のステップに移り、満たさない場合には、前記ステップを繰り返すステップとを有し、当該方法は、さらに、物理的な大きさを表す第３の基準をテストして、前記第１、第２及び第３の基準が満たされる場合には、前記アクティブ動作モードからスタンバイモードへの変更を行うステップを有するものに関する。
【００１０】
この方法は、このように、基準の数を多く使用して、誤りが少なくなるので、信頼性が高いという利点を有する。実際に、時間にリンクした基準、運動にリンクされた基準、及び時間又は周辺光にリンクされることができる最後の基準を組み合わせることによって、誤りのリスクが減り、電子装置を不必要にスタンバイモードにするリスクが減る。
【００１１】
第１の好ましい実施形態において、前記第３の基準は、前記光量測定手段によって供給される光量データアイテムにリンクされており、前記第３の基準に応じて、前記アクティブ動作モードから、前記第１の表示手段が動作しない低度スタンバイモードへと変わることを可能にする。
【００１２】
第２の好ましい実施形態において、前記ステップ（ｄ）は、前記光量測定手段が測定した光量値を第１の光量しきい値と比較することを伴い、前記第３の基準は、測定された光量値が前記第１の光量しきい値以下である場合に認証される。
【００１３】
第３の好ましい実施形態において、前記ステップ（ｂ）は、前記時間ベースによって測定された時間を第１の時間区間と比較することを伴い、前記第１の基準は、前記時間ベースによって測定された前記時間が前記第１の時間区間内に含まれる場合に満たされる。
【００１４】
別の好ましい実施形態において、前記第２及び第３の基準は、前記第１の基準がテストされた後に、前記第１の基準が満たされる場合に、互いに同時にテストされる。
【００１５】
別の好ましい実施形態において、前記第３の基準は、カウンターの値を第１のカウンター値に対してテストすることを伴い、前記第３の基準に応じて、前記アクティブ動作モードから、前記第１の表示手段及び前記第２の表示手段が動作しない高度スタンバイモードへの変更を可能にする。
【００１６】
別の好ましい実施形態において、前記ステップ（ｂ）は、前記時間ベースによって伝えられた時間データアイテムを第２の時間値と比較することを伴い、前記第２の基準は、前記時間ベースによって伝えられた前記時間データアイテムが前記第２の時間値と同一の場合に満たされる。
【００１７】
別の好ましい実施形態において、前記第１の基準は、前記第２及び第３の基準より前にテストされ、前記第２の基準は、前記第１の基準が満たされる場合にテストされ、前記第２の基準が満たされる場合に、前記カウンター値が増分され前記第３の基準がテストされる。
【００１８】
別の好ましい実施形態では、前記ステップ（ｃ）は、前記電子装置が着用されているか否かを検出する手段によって提供される運動データにリンクされた第２の基準をテストするように構成し、瞬間Ｔiにおいて前記電子装置の前記検出手段を介して前記電子装置の位置の第１の測定を行うステップと、前記第１の測定結果を、記憶素子に格納され瞬間Ｔi-1において行われた第２の測定と比較するステップとを伴い、前記第３の基準は、前記第１及び第２の測定が同一の場合に認証され、そうでない場合には、前記記憶素子の値を瞬間Ｔiで行った前記第１の測定値で置き換える。
【００１９】
別の好ましい実施形態において、当該方法は、さらに、（ｆ）前記低度スタンバイモードから前記通常動作モードに変わるように構成することを伴うステップを有し、このステップ（ｆ）は、第１の事象をテストし、この第１の事象のテストを満たす場合に、前記低度スタンバイモードから前記通常動作モードに変わることを伴う。
【００２０】
別の好ましい実施形態において、当該方法は、さらに、（Ｆ）前記高度スタンバイモードから前記通常動作モードに変わるように構成するステップを有し、このステップ（Ｆ）は、第２の事象をテストし、この第２の事象のテストを満たす場合に、前記高度スタンバイモードから前記通常動作モードに変わることを伴う。
【００２１】
別の好ましい実施形態において、前記第１の事象をテストするように構成する動作は、前記アクティブ化手段の電気的な状態の変化を検出することを伴う。
【００２２】
別の好ましい実施形態において、第１の事象をテストするように構成する動作は、測定された物理的な大きさを前記物理的な大きさの基準値と比較することを伴い、前記第１の事象は、前記測定された物理的な大きさが前記物理的な大きさの前記基準値と同一である場合に満たされる。
【００２３】
別の好ましい実施形態において、前記測定された物理的な大きさは光量であり、前記測定された光量値が第２の光量しきい値と比較される。
【００２４】
別の好ましい実施形態において、前記第２の光量しきい値は、前記第１の光量しきい値と同一である。
【００２５】
別の好ましい実施形態において、前記測定された物理的な大きさは、時間的なデータアイテムであり、前記測定された時間的なデータアイテムは、第３の時間値と比較される。
【００２６】
別の好ましい実施形態では、前記第２の事象をテストするように構成する動作は、測定された時間データアイテムを第４の時間値と比較することを伴う。
【００２７】
この方法は、さらに、所望のスタンバイモードに応じて基準を選択することができるという観点で柔軟であるという利点を有する。また、基準を満たすか否かの様々なしきい値は、ユーザーのライフスタイルに応じてユーザーが決めることができる。
【００２８】
本発明は、さらに、電子装置であって、当該電子装置は、電気エネルギーを格納する手段によって電気エネルギーが供給され、時間ベースに接続されるマイクロコントローラを有するケースと、光量を測定する光量測定手段と、及び当該電子装置が着用されているか否かを検出する磁気手段とを有し、前記マイクロコントローラは、第１の表示手段と、アクティブ動作モードにおいて、前記マイクロコントローラによって、少なくとも前記時間ベースによって提供される第１の時間的なデータアイテムを少なくとも表示するように制御されるように構成する第２の表示手段とに接続されており、前記マイクロコントローラは、前記時間ベースによって提供される第２の時間的なデータアイテムにリンクされる第１の基準及び当該電子装置が着用されているか否かを検出する手段によって提供される運動データアイテムにリンクされる第２の基準に従って、アクティブ動作モードからスタンバイモードへの変更をアクティブにし、前記アクティブ動作モードから前記スタンバイモードへの変更は、物理的又は時間的な大きさを表す第３の基準にも従って行われるものに関する。
【００２９】
別の好ましい実施形態において、前記第３の基準は、前記光量測定手段によって供給される光量データアイテムにリンクされ、前記第３の基準に応じて、前記アクティブ動作モードから、前記第１の表示手段が動作しない低度スタンバイモードへの変更を可能にする。
【００３０】
別の好ましい実施形態において、前記光量データは、前記光量測定手段が測定した光量値を第１の光量しきい値と比較することによって得られる。
【００３１】
別の好ましい実施形態において、前記第１の基準は、前記時間ベースによって測定された時間を第１の時間区間と比較することを伴い、これによって、前記時間ベースによって測定された前記時間が前記第１の時間区間内に含まれるか否かがわかるようにする。
【００３２】
別の好ましい実施形態において、前記第３の基準は、カウンターの値を第１のカウンター値に対してテストすることを伴い、前記第３の基準に応じて、前記アクティブ動作モードから前記第１の表示手段及び前記第２の表示手段が動作しない高度スタンバイモードへの変更を可能にする。
【００３３】
別の好ましい実施形態において、前記第１の基準は、前記時間ベースによって伝えられた時間的なデータアイテムを第２の時間値と比較することを伴い、前記第１の基準は、前記時間ベースによって伝えられた前記時間データが前記第２の時間値と同一である場合に満たされる。
【００３４】
別の好ましい実施形態において、当該電子装置が着用されているか否かを検出する手段によって供給される運動データは、瞬間Ｔiにおいて当該電子装置の位置の第１の位置測定を行って、前記第１の測定と、記憶素子に格納された第２の測定との比較を伴い、前記第３の基準は、前記第１及び第２の測定が同一の場合に認証される。
【００３５】
別の好ましい実施形態において、当該電子装置が着用されているか否かを検出する手段は、磁気センサーを有する。
【００３６】
別の好ましい実施形態において、前記磁気センサーは、前記ケースの内部に配置され、当該電子装置の加速度の少なくとも１つの軸を測定軸とする加速度計によって置き換えられる。
【００３７】
別の好ましい実施形態において、当該電子装置が着用されているか否かを検出する手段は、熱電気的センサーからなり、この熱電気的センサーによって供給される運動データは、前記熱電気的センサーによってなされた測定と、体温を表す温度しきい値との比較を伴う。
【００３８】
別の好ましい実施形態において、前記第１の表示手段は、電気モーターによって運動する少なくとも１つの針セットを有し、前記第２の表示手段は、少なくとも１つのデジタル画面を有する。
【００３９】
本発明の少なくとも１つの実施形態（これらは、限定されない単なる例として与えただけであり、添付図面に示されている）についての以下の詳細な説明において、本発明に係る電子装置の目的、利点及び特徴が明らかになる。
【図面の簡単な説明】
【００４０】
【図１】本発明に係る電子装置についての概略図である。
【図２】本発明に係る低度スタンバイモードについての概略図である。
【図３】本発明に係る高度スタンバイモードについての概略図である。
【発明を実施するための形態】
【００４１】
図１は、本発明に係る電子装置１００を示す。この電子装置１００は、電源３によってエネルギーが供給されるマイクロコントローラ１を有する。この電源３は、ローター又は太陽電池又は外部接続又は他の可能性のあるチャージ手段によってチャージされる電池、スーパーキャパシター又はアキュムレーターであることができる。電気装置１００は、さらに、時間ベース５を有する。これは、たとえば、周波数信号のセットを伝える水晶である。周波数信号のセットが使用される。これによって、マイクロコントローラが表示手段７に送られる時間を表す信号を供給することができる。表示手段７はアナログ及び／又はデジタル手段である。使用した例においては、電子装置１００は、アナログ表示手段７ａ及びデジタル表示手段７ｂを有する。例えば、アナログ表示手段７ａは、針又は回転円盤であり、デジタル表示手段７ｂは、ＬＣＤ又は有機発光ダイオード（ＯＬＥＤ）又は他の種類の画面のようなデジタル画面である。
【００４２】
また、アナログ表示手段７ａ及びデジタル表示手段７ｂは、時間データ以外のデータを表示するためにも使用される。実際に、電子装置１００は、さらに、前記電子装置１００が着用されているか否かを検出する手段１０を有することができる。これは、例えば、供給源向きデータを供給するために２軸又は３軸が使用されコンパスとして機能する磁気センサー１１である。電子装置１００は、さらに、フォトダイオード又は太陽電池のような光センサー９を有する。フォトダイオードは、例えば、周辺光があまりに小さい場合には、バックライトでスイッチングし、一方、太陽電池が、アキュムレーターをチャージして、バックライトをスイッチングするための光センサーとして機能するようにすることができる。磁気センサー１１及び光センサー９は、マイクロコントローラ１に接続されている。電子装置１００は、さらに、押しボタン又はタッチゾーンなどのようなアクティブ化手段１３を有する。これによって、ユーザーが前記電子センサー１００に対して操作することが可能になる。
【００４３】
この電子装置１００は、腕時計又は携行可能なナビゲーションデバイス又は携行可能な通信装置のような携行可能な装置である。以下の説明において、電子装置１００が腕時計である例を使用した。
【００４４】
好ましいことに、磁気センサー１１及び光センサー９を使用して、電子装置１００の様々な動作モードへの変更を判断する。
【００４５】
実際に、電子装置１００はいくつかの動作モードで動作する。ステップ（ａ）又は（Ａ）と呼ぶ第１の「通常」動作モードは、消費電力が制限されてなく、かつ、時間ベース５及び／又は磁気センサー１１及び／又は光センサー９によって供給されるデータが、アナログ表示手段７ａ及びデジタル表示手段７ｂによって表示されるような動作モードである。好ましくは、時間ベース５によって提供されるデータがアナログ表示手段７ａによって表示され、磁気センサー１１及び／又は光センサー９によって提供されるデータがデジタル表示手段７ｂによって表示される。
【００４６】
電子装置１００は、複数の異なるスタンバイモードで動作するように構成する。様々なスタンバイモードをそれぞれ開始させるためには、基準を満たさなければならない。各場合において、特定の数の基準が様々なスタンバイモードの間で共通である。
【００４７】
第１の基準は、時間的なデータアイテムにリンクされる。実際に、腕時計１００がスタンバイ可能である状態であることをマイクロコントローラ１が確立するために、時間的な基準が必要である。この基準は、正確な時間データアイテム、時間区間、基準が時間にわたって繰り返されるということなどである。
【００４８】
第２の基準は、運動データアイテムにリンクされる。実際に、これは重要な基準である。なぜなら、前記腕時計１００が運動していることをマイクロコントローラが検出した場合、このことは、腕時計１００が着用されていることを意味するからである。腕時計１００が着用されている場合、スタンバイとなるべきではない。
【００４９】
好ましいことに、本発明によれば、電子装置１００は、スタンバイモードが、物理的又は時間的な大きさを表す第３の基準を用いることによってアクティブになるように構成する。これによって、３つの基準が満たされた場合に、スタンバイモードがアクティブになる。
【００５０】
このように、電子装置は、低度スタンバイモード及び高度スタンバイモードの２つのスタンバイモードで動作するように構成する。
【００５１】
第１の実施形態において、図２に示す低度スタンバイモードは、腕時計１００が数時間着用されない場合にアクティブになるように構成する。例えば、この低度スタンバイモードは、ユーザーが腕時計１００を着用しなくなった夜間にアクティブになる。低度スタンバイモードのアクティブ化を引き起こすためには、基準を満たさなければならない。これらの基準の目的は、腕時計１００をスタンバイモードにすることができる状態であることをマイクロコントローラに知らせることである。
【００５２】
低度スタンバイモードのために、３つの基準の組み合わせが満たされた場合にマイクロコントローラ１によるアクティブ化が行われる。これらの３つの基準は、腕時計１００を低度スタンバイモードにしなければならないことを高い信頼性で決める。
【００５３】
ステップ（ｂ）と呼ぶステップにおいて、第１の基準がテストされる。第１の基準は、時間的なデータアイテムにリンクされる。この基準は、第１の時間区間を観察することを伴う。このことは、所与の瞬間において測定時間が前記第１の区間内に含まれる場合に、腕時計１００は第１の基準が認証されるとみなすことを意味する。例えば、第１の選択された区間は、時間２２：００〜時間２４：００の区間である。したがって、このことは、マイクロコントローラ１が毎日、時間ベース５によって提供される時間データアイテムを第１の所定の区間（すなわち、時間２２：００〜時間２４：００の区間）と比較することを意味する。現在時刻が時間２２：００〜時間２４：００の前記第１の区間内に含まれる場合に時間的な基準が認証される。この区間においてはほとんどのユーザーが寝ているということが想定されるのでこの例示的な時間区間を選んだ。したがって、これは、エネルギーを節約するスタンバイモードに変えるのに適した時間である。
【００５４】
このように、マイクロコントローラ１が毎日様々な基準をテストすることが明らかである。第１の基準が満たされる場合には、後のステップが実行される。満たされない場合、ステップ（ｂ）において第１の基準が再びテストされる。
【００５５】
ステップ（ｃ）と呼ぶステップは、運動又は向きデータにリンクされた第２の基準をテストすることを伴う。２軸又は３軸に対応する磁気センサー１１が、この目的のために使用される。この磁気センサー１１は、規則的な間隔で腕時計１００の向きを表す測定結果を提供し、互いに測定結果を比較するために用いられる。瞬間Ｔiにおける腕時計１００の向きが記憶素子において保存された瞬間Ｔi-1における腕時計１００の向きと同一であることをマイクロコントローラ１が検出した場合、マイクロコントローラ１は、腕時計１００がユーザーによって着用されていないと推定する。この結果を第１及び第２の基準の結果と関連づけることによって、マイクロコントローラ１は、腕時計１００が夜遅く（時間２２：００と時間２４：００）、暗い環境で、運動していないような状況に置かれていると推定する。結果的に、腕時計１００が、例えば、ユーザーのベッド際テーブルに置かれている可能性が高い。
【００５６】
しかし、瞬間Ｔiにおける腕時計１００の向きが瞬間Ｔi-1における腕時計１００の向きと同一でない場合は、瞬間Ｔiにおける腕時計１００の向きデータは記憶素子に保存され、後の測定のために瞬間Ｔi-1におけるデータになる。
【００５７】
ステップ（ｄ）と呼ぶ別のステップは、光量データにリンクされている第３の基準をテストすることを伴う。この基準は、光センサー９によって測定され、次に、第１の所定の光量しきい値と比較される光量データアイテムからなる。したがって、光センサーが測定した光が第１の所定の光量しきい値以下である場合は、マイクロコントローラ１は、腕時計１００が暗い環境にあると判断する。結果的に、この光についての基準が満たされ、低度スタンバイモードをアクティブにすることができる。第１及び第２の基準が満たされる場合には、マイクロコントローラ１は、腕時計１００が時間２２：００と時間２４：００の間の暗い環境にあると推定する。
【００５８】
第２及び第３の基準が満たされない場合、第１の基準テストが繰り返される。
【００５９】
第１の基準、第２の基準及び第３の基準が、１つの後に別のものがテストされるように順次テストすることができることは明らかである。テストの順序は、第１の基準が最初にテストされ、第２の基準が２番目に、第３の基準が最後にテストされるようにすることができる。しかし、第１の基準が最初にテストされ、第１の基準が満たされたならば第２の基準と第３の基準を同時にテストすることを考えることもできる。
【００６０】
しかし、３つの基準が満たされれば、マイクロコントローラ１はステップ（ｅ）まで通過する。すなわち、腕時計１００の動作モードの変更をアクティブにする。これによって、腕時計は通常モードから低度スタンバイモードに変わる。この低度スタンバイモードは、デジタル表示手段７ｂを非アクティブ化するという特徴を有する。この非アクティブ化によって、高エネルギーを消費するデジタル表示手段７ｂを使用しないことによって、消費電力が制限される。
【００６１】
このような３つの基準の関連づけは、ユーザーが夜間に暗い環境で働いている場合又はユーザーが例外的遅くまで起きている場合に、低度スタンバイモードがアクティブになるのを防ぐという利点を有する。
【００６２】
第１の基準の第１の時間区間、第３の基準の第１のしきい値光量値及び２つの向き測定の間の時間区間に対する様々な値は、ユーザーによってセットされるように構成されている。光量しきい値については、製造者によって３０ルクスにセットされるが、このしきい値を環境条件に適応させることもできる。第１の基準の時間区間については、製造者によって時間２２：００と時間２４：００の間にセットされる。ユーザーはユーザーの習性に依存して、必要に応じて時間区間を変更してもよい。実際に、異なるスケジュールの人では、その人のスケジュールに適合させるように光量しきい値及び時間区間を調整することができる。
【００６３】
腕時計１００の２つの向き測定の間の測定間隔は、変えることができ、任意の可能な値にセットすることができる。しかし、この時間区間は、低度スタンバイモードへと変えることを可能にする測定が可能な限り最小のエネルギー量を使用するようにセットすることもできる。実際に、光量測定又は向き測定を単に行うことによって、電気エネルギーを使用することになって、これによって、電源３の放電をもたらす。したがって、これらの測定は、電源３が不必要に放出されないように、頻繁すぎであってはならない。
【００６４】
この場合において、時間区間は８分にセットされる。この８分の区間が選択されたのは、測定頻度と消費電力の間の良い妥協点を与えるからである。実際に、時間２２：００と時間２４：００の間の時間区間（すなわち、２時間の区間）において８分の頻度で測定が行われる場合、磁気センサー１１及びマイクロコントローラ１が１５の測定を測定し処理しなければならないことがわかる。
【００６５】
また、この８分の区間は、測定を害さないという利点を有する。時針と分針を駆動するモーターは、磁気素子で作られており、このことは、磁気センサー１１が時期的に影響を受けるということを意味している。８分ごとに、時針と分針のモーターのローターは、同じ位置となる。したがって、これらのローターの影響は、ある磁気測定と別の磁気測定との間で同一である。時間区間が８分より短かいか又は長い場合、モーターのローターは、異なる効果を与え、これによって、磁気測定が変わることになる。
【００６６】
低度スタンバイモードを脱し、通常動作モードに戻るために、第１の事象がテストされ、低度スタンバイモードから通常動作モードへの変更を可能にするようなステップ（ｆ）が提供される。これを達成するために、第１の事象のためのいくつかの解決法がある。
【００６７】
第１に、１つの手法は、ユーザーがアクティブ化手段１３を操作した場合に、通常動作モードに戻ることを伴う。実際に、押しボタンに対するユーザーの操作は、腕時計１００がユーザーによって着用されていること、又は少なくとも使用されていることをマイクロコントローラ１に知らせる。これには、スタンバイモードから通常動作モードへと変えることが必要となる。アクティブ化手段１３を押すことは、電気的な状態の変更をもたらし、マイクロコントローラ１に押し操作を検出させることをもたらす。これに応じて、マイクロコントローラは、腕時計１００を通常動作モードに変える。その後、マイクロコントローラ１は、デジタル表示手段７ｂを再びアクティブにし、これによって、時間データが再び表示される。
【００６８】
第２に、手法の１つは、事象が発生した場合に、通常動作モードに戻ることを伴う。この事象が、測定された物理的な大きさと当該物理的な大きさの基準値との比較であることができることは明らかである。この物理的な大きさは、例えば、時間アラームの開始のような計時器上の事象にリンクされる。しかし、この事象は、腕時計１００の機能のいずれにもリンクさせることができる。例えば、音響的なアラームが時間０７：００で鳴るようにユーザーは腕時計１００をセットしてもよい。その後、音響的なアラームのアクティブ化によって、マイクロコントローラ１が通常動作モードをアクティブにすることをもたらす。測定された物理的な大きさ（時間的なデータアイテムである）が第３の時間値と比較されることは明らかである。
【００６９】
同様に、物理的な大きさをセンサーにリンクすることができる。したがって、光量が特定のしきい値よりも大きい値になった場合に腕時計１００が通常動作モードに戻るように、音響的なアラームを光センサー９のようなセンサーの１つにつなぐことができる。使用されたしきい値を光量データにリンクされた第２の基準に使用することができる。しかし、光量がしきい値を超えた場合にのみ通常動作モードがアクティブになり、反対はない。測定される物理的な大きさ（光量）が第２の光量しきい値と比較されることは明らかである。
【００７０】
このように、磁気センサーを使用することを考えることができることは明らかである。マイクロコントローラ１は、磁気センサーから運動データアイテムを受けると、通常動作モードをアクティブ化しなければならないとみなし、当該モードを活性化する。
【００７１】
第３に、手法の１つは、固定された瞬間で通常動作モードに戻ることを伴う。すなわち、時間が第３の時間データアイテムに達した場合である。この手法は、時間データアイテム、分データアイテム及び秒データアイテムで形成されたある瞬間を表すマイクロコントローラ１におけるデータをプログラミングすることを伴う。時間ベース５によって提供されるデータは、ある瞬間を表すこのデータアイテムと比較される。したがって、時間ベース５によって供給されるデータがある瞬間表すデータと合致しなくなるまで、腕時計１００は低度スタンバイモードに留まる。そうでなければ、マイクロコントローラ１は、デジタル表示手段７ｂを活性化することによって低度スタンバイモードから通常動作モードへの変更を活性化する。
【００７２】
第２の実施形態においては、さらに、図３に示す高度スタンバイモードが存在する。高度スタンバイモードは、腕時計１００が数日間着用されていない場合にアクティブになるように構成する。例えば、ユーザーが腕時計１００を持たずに休日のために数週間出かけるような場合に、この高度スタンバイモードがアクティブになる。高度スタンバイモードをアクティブにするために、特定の基準を満たさなければならない。これらの基準の目的は、腕時計１００がスタンバイになることができる状況にあることをマイクロコントローラ１に知らせることである。
【００７３】
様々な基準が組み合わさった場合に、この高度スタンバイモードがマイクロコントローラ１によってアクティブになる。これらの２つの基準は、腕時計１００を高度スタンバイモードにしなければならない場合に高い信頼性で判断する。これらの基準は、高度スタンバイモードアクティブ化テストが規則的な間隔で発生することを確実にすることを伴う。実際に、高度スタンバイモードは、高度スタンバイモードが可能であることを示す条件が所定の期間中に満たされたときに、アクティブになる。
【００７４】
この第２の実施形態において、第１の基準に関連するステップ（ｂ）と呼ぶステップが、時間ベース５によって供給される時間データ（例、ユーザーに提供される現在時刻）をモニタリングして検査することを伴う。この時間データがユーザーによってあらかじめ定められるか又は入力される第２の時間値と同一である場合に、当該第１の基準が満たされるとみなされる。例えば、所定の時間データは、時間２２：００である。したがって、第１の基準は、時間ベースが時間２２：００を示す時に満たされる。
【００７５】
この第１の基準が満たされた場合、マイクロコントローラ１は次のステップに移る。このステップ（ｃ）と呼ぶステップは、運動又は向きデータアイテムにリンクされた第２の基準をテストすることを伴う。２軸又は３軸に対応する磁気センサー１１が、この目的のために使用される。この磁気センサー１１は、規則的な間隔で腕時計１００の向きを表す測定結果を提供して、測定どうしが互いに比較するために用いられる。瞬間Ｔiにおける腕時計１００の向きが記憶素子に保存された瞬間Ｔi-1における腕時計１００の向きと同一であることをマイクロコントローラ１が検出した場合、マイクロコントローラ１は腕時計１００がユーザーによって着用されていないと推定する。マイクロコントローラ１は、腕時計１００が運動していないと推定する。腕時計１００が、例えば、ユーザーのベッド際のテーブル上に置かれている可能性が高い。しかし、瞬間Ｔiにおける腕時計１００の向きが瞬間Ｔi-1における腕時計１００の向きと同一でない場合、瞬間Ｔiにおける腕時計１００の向きデータは、記憶素子に保存され、後の測定のための瞬間Ｔi-1になる。
【００７６】
この第２の基準が満たされる場合には、カウンターは増分されるステップ（ｄ）と呼ぶステップが行われる。カウンターの増分は、腕時計が第１の基準を認証するために２つの瞬間の間で位置を変えていないということを意味する。上記の例に戻ると、このことは、腕時計が第１の日の時間２２：００と第２の日の時間２２：００との間で位置を変えていないことを意味する。したがって、腕時計が第２の日の時間２２：００と第３の日の時間２２：００との間で位置を変えていなければ、カウンターが再び増分される。反対に、第３の基準が瞬間Ｔiと瞬間Ｔi-1との間で検査されない場合、カウンターはゼロにリセットされる。これによって、全シーケンスが繰り返される。実際に、第３の基準が満たされないということは、腕時計が位置を変えており、したがって、ユーザーによって使用されていることを示す。高度スタンバイモードは必須ではない。
【００７７】
カウンターの値が、各増分時に、第１のカウンター値と比較される。これは、プリセットされていてもユーザーによって入力されてもよい。この基準は、時間的な基準にたとえることができる。なぜなら瞬間Ｔiと瞬間Ｔi-1との間で腕時計の位置が変わっていないことをマイクロコントローラ１が認めた時にカウンターが増分されるからである。この基準は、瞬間Ｔiと瞬間Ｔi-1との間の腕時計の運動の欠如が数回連続して確認されたときに満たされる。結果的に、マイクロコントローラ１は、腕時計が使用されておらず、高度スタンバイモードの状況に置かれている（すなわち、ステップ（Ｅ）がアクティブになっている）可能性があると理解する。
【００７８】
この場合では、マイクロコントローラ１が磁気センサー１１を介して腕時計１００が所定の期間着用されていないことを検出した場合に、高度スタンバイモードがアクティブになる。これを達成するために、セットされた時間に毎晩、例えば、時間２２：００に、磁気センサー１１が運動データアイテムを測定する。７日間運動における相当な差が測定されなければ、高度スタンバイモードがアクティブになる。
【００７９】
結果的に、基準が満たされれば、マイクロコントローラ１は、腕時計１００の動作モードの変更をアクティブにする。これによって、腕時計は、通常動作モードから高度スタンバイモードに変わる。ステップ（Ｅ）と呼ぶこの高度スタンバイモードでは、アナログ表示手段７ａ及びデジタル表示手段が非アクティブになるという特徴を有する。このようにして、デジタル画面及び針のモーターには動力が供給されなくなり、これによって、エネルギーを節約することができる。
【００８０】
第２の事象がステップ（Ｆ）で発生した場合、腕時計は通常動作モードに戻る。ユーザーがアクティブ化手段１３を操作した場合、この第２の事象がここで検査される。実際に、押しボタンに対するユーザーによる操作によって、腕時計１００がユーザーによって着用されていること又は少なくとも使用されていることをマイクロコントローラ１に知らせる。これには、スタンバイモードから通常動作モードへの変更が必要となる。
【００８１】
当然、製造者又はユーザーによって、運動測定がなされる瞬間を選ぶことができる。同様に、運動基準が合致していなければならない期間は異なっていてもよく、ユーザーによってセットすることもできる。例えば、３日間磁気センサー１１が腕時計１００の向きについての有意差を測定しない場合に時間１３：００に、腕時計１００は高度スタンバイモードに入るようにすることができる。
【００８２】
明らかに、腕時計１００が、低度スタンバイモード及び高度スタンバイモードの両方のスタンバイモードを備えることができることは明らかであろう。しかし、単に一方又は他方を備えていてもよい。
【００８３】
変種において、腕時計１００がユーザーによって着用されているか否かを知るために別のセンサーを使用することができる。実際に、腕時計１００が熱電気的センサー１０を備えることを考えることができる。人体には、測定することができる特定の体温がある。したがって、熱電気的センサー１０は、測定された温度を、温度を表す電圧値に変換する。人体の温度は、３７℃の人体温度に対して３６〜３８℃の間で変わる。
【００８４】
この測定された温度を表す電圧は、２つの基準電圧値と比較され、そのそれぞれは、体温を表す時間区間の限界の１つを表す。したがって、マイクロコントローラ１は、測定された温度を表す電圧値を２つの基準電圧値と比較する役割を有する。測定された温度を表す電圧値が２つの基準電圧値の間に含まれる場合、マイクロコントローラ１は、腕時計が着用されていると推定する。反対に、測定された温度を表す電圧値が２つの基準電圧値間に含まれない場合、マイクロコントローラ１は、腕時計がユーザーの腕に着用されていないと推定する。
【００８５】
また、この基準を瞬間Ｔiと瞬間Ｔi-1との間でもテストされる。これによって、基準が可能な限り信頼できるようにされる。実際に、熱電気的センサー１０が瞬間Ｔi-1で３６℃よりも低い温度を測定し、瞬間Ｔiにおいて３６℃〜３８℃の温度を測定した場合、マイクロコントローラは、腕時計１００が着用されていないが熱源の近くであると推定する。しかし、熱電気的センサー１０が瞬間Ｔi-1において３６℃及び３８℃、瞬間Ｔiにおいて３６℃よりも低い温度を測定した場合、マイクロコントローラ１は、腕時計１００が着用されていないと推定する。熱電気的センサー１０は、測定された温度値を３７℃のような体温を表す温度しきい値と比較することができる。
【００８６】
上記の本発明に係る様々な実施形態に対して、当業者にとって明白な様々な変更及び／又は改善及び／又は組み合わせを添付の請求の範囲によって定められる本発明の範囲から逸脱せずに行うことができることは明らかである。
【図１】
2015525879.tif 000003
【図２】
2015525879.tif 000004
【図３】
2015525879.tif 000005
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
電子装置（１００）を管理する方法であって、
前記電子装置（１００）は、電気エネルギー（３）を格納する手段によって電気エネルギーが供給され、時間ベース（５）に接続されるマイクロコントローラ（１）を有するケースと、光量を測定する光量測定手段（９）と、及び前記電子装置（１００）が着用されているか否かを検出する磁気手段（１０）とを有し、
前記マイクロコントローラは、電気モーターによって動く少なくとも１つの針セットを有する第１の表示手段（７ａ）と、及びアクティブ動作モードにおいて、前記マイクロコントローラ（１）によって、少なくとも前記時間ベースによって提供される第１の時間的なデータアイテムを少なくとも表示するように制御されるように構成する、少なくとも１つのデジタル表示を示す第２の表示手段（７ｂ）とに接続されており、当該方法は、
（ａ）アクティブ動作モードの１つに対応し、前記時間ベースによって少なくとも供給された前記第１の時間的なデータアイテムを少なくとも表示するステップと、
（ｂ）前記時間ベースによって供給された第２の時間的なデータアイテムにリンクされた第１の基準をテストして、この第１の基準が満たされる場合には、次のステップに移り、満たさない場合には、前記ステップ（ａ）を繰り返すステップと、及び
（ｃ）前記電子装置（１００）が着用されているか否かを検出する手段（１０）によって供給される運動にリンクされた第２の基準をテストして、この第２の基準が満たされる場合には、次のステップに移り、満たさない場合には、前記ステップ（ａ）を繰り返すステップとを有し、
当該方法は、さらに、（ｄ）物理的な大きさを表す第３の基準をテストして、前記第１、第２及び第３の基準が満たされる場合には、前記アクティブ動作モードからスタンバイモードへの変更を行うステップを有し、
前記ステップ（ｂ）、（ｃ）及び（ｄ）は、前記第１、第２及び第３の基準が満たされるまで行われ、規則的な間隔で、干渉が最小になるように、前記少なくとも１つの針の前記電気モーターの前記ローターの位置がステップ（ｂ）、（ｃ）及び（ｄ）で同一であるように計算される
ことを特徴とする電子装置を管理する方法。
【請求項２】
電子装置（１００）を管理する方法であって、前記電子装置（１００）は、電気エネルギー（３）を格納する手段によって電気エネルギーが供給され、時間ベース（５）に接続されるマイクロコントローラ（１）を有するケースと、光量を測定する光量測定手段（９）と、及び前記電子装置（１００）が着用されているか否かを検出する手段（１０）とを有し、
前記マイクロコントローラは、電気モーターによって動く少なくとも１つの針セットを有する第１の表示手段（７ａ）と、
アクティブ動作モードにおいて、前記マイクロコントローラ（１）によって、少なくとも前記時間ベースによって提供される第１の時間的なデータアイテムを少なくとも表示するように制御されるように構成する少なくとも１つのデジタル表示を示す第２の表示手段（７ｂ）とに接続されており、当該方法は、
（ａ）アクティブ動作モードの１つに対応し、前記時間ベースによって少なくとも供給された前記第１の時間的なデータアイテムを少なくとも表示するステップと、
（ｂ）前記時間ベースによって供給された第２の時間的なデータアイテムにリンクされた第１の基準をテストして、この第１の基準が満たされる場合には、次のステップに移り、満たさない場合には、前記ステップ（ａ）を繰り返すステップと、及び
（ｃ）前記電子装置（１００）が着用されているか否かを検出する手段（１０）によって供給される運動にリンクされた第２の基準をテストして、この第２の基準が満たされる場合には、次のステップに移り、満たさない場合には、前記ステップ（ａ）を繰り返すステップとを有し、
当該方法は、さらに、（ｄ）物理的な大きさを表す第３の基準をテストして、前記第１、第２及び第３の基準が満たされる場合には、前記アクティブ動作モードからスタンバイモードへの変更を行うステップを有する
ことを特徴とする電子装置を管理する方法。
【請求項３】
前記第３の基準は、前記光量測定手段（９）によって供給される光量データアイテムにリンクされており、前記第３の基準に応じて、前記アクティブ動作モードから、前記第１の表示手段が動作しない低度スタンバイモードへと変わることを可能にする
ことを特徴とする請求項１に記載の電子装置を管理する方法。
【請求項４】
前記ステップ（ｄ）は、前記光量測定手段（９）が測定した光量値を第１の光量しきい値と比較することを伴い、前記第３の基準は、測定された光量値が前記第１の光量しきい値以下である場合に認証される
ことを特徴とする請求項３に記載の電子装置を管理する方法。
【請求項５】
前記ステップ（ｂ）は、前記時間ベース（５）によって測定された時間を第１の時間区間と比較することを伴い、前記第１の基準は、前記時間ベース（５）によって測定された前記時間が前記第１の時間区間内に含まれる場合に満たされる
ことを特徴とする請求項３又は４に記載の電子装置を管理する方法。
【請求項６】
第２及び第３の基準は、前記第１の基準がテストされた後に、前記第１の基準が満たされる場合に、互いに同時にテストされる
ことを特徴とする請求項３〜５のいずれかに記載の電子装置を管理する方法。
【請求項７】
前記第３の基準は、カウンターの値を第１のカウンター値に対してテストすることを伴い、前記第３の基準に応じて、前記アクティブ動作モードから、前記第１の表示手段及び前記第２の表示手段が動作しない高度スタンバイモードへの変更を可能にする
ことを特徴とする請求項２に記載の電子装置を管理する方法。
【請求項８】
前記ステップ（ｂ）は、前記時間ベース（５）によって伝えられた時間データアイテムを第２の時間値と比較することを伴い、前記第２の基準は、前記時間ベースによって伝えられた前記時間データアイテムが前記第２の時間値と同一の場合に満たされる
ことを特徴とする請求項７に記載の電子装置を管理する方法。
【請求項９】
前記第１の基準は、前記第２及び第３の基準より前にテストされ、前記第２の基準は、前記第１の基準が満たされる場合にテストされ、前記第２の基準が満たされる場合に、前記カウンター値が増分され前記第３の基準がテストされる
ことを特徴とする請求項７に記載の電子装置を管理する方法。
【請求項１０】
前記ステップ（ｃ）は、前記電子装置が着用されているか否かを検出する手段によって提供される運動データにリンクされた第２の基準をテストするように構成し、
瞬間Ｔiにおいて前記電子装置の前記検出手段（１０）を介して前記電子装置の位置の第１の測定を行うステップと、
前記第１の測定結果を、記憶素子に格納され瞬間Ｔi-1において行われた第２の測定と比較するステップとを伴い、
前記第３の基準は、前記第１及び第２の測定が同一の場合に認証され、そうでない場合には、前記記憶素子の値を瞬間Ｔiで行った前記第１の測定値で置き換える
ことを特徴とする請求項１〜９のいずれか１項に記載の電子装置を管理する方法。
【請求項１１】
当該方法は、さらに、（ｆ）前記低度スタンバイモードから前記通常動作モードに変わるように構成することを伴うステップを有し、このステップ（ｆ）は、第１の事象をテストし、前記第１の事象のテストを満たす場合に、前記低度スタンバイモードから前記通常動作モードに変わることを伴う
ことを特徴とする請求項３に記載の電子装置を管理する方法。
【請求項１２】
当該方法は、さらに、（Ｆ）前記高度スタンバイモードから前記通常動作モードに変わるように構成するステップを有し、このステップ（Ｆ）は、第２の事象をテストし、前記第２の事象のテストを満たす場合に、前記高度スタンバイモードから前記通常動作モードに変わることを伴う
ことを特徴とする請求項７に記載の電子装置を管理する方法。
【請求項１３】
前記第１の事象をテストするように構成する動作は、前記アクティブ化手段（１３）の電気的な状態の変化を検出することを伴う
ことを特徴とする請求項１１に記載の電子装置を管理する方法。
【請求項１４】
第１の事象をテストするように構成する動作は、測定された物理的な大きさを前記物理的な大きさの基準値と比較することを伴い、前記第１の事象は、前記測定された物理的な大きさが前記物理的な大きさの前記基準値と同一である場合に満たされる
ことを特徴とする請求項１１に記載の電子装置を管理する方法。
【請求項１５】
前記測定された物理的な大きさは光量であり、前記測定された光量値が第２の光量しきい値と比較される
ことを特徴とする請求項１４に記載の電子装置を管理する方法。
【請求項１６】
前記第２の光量しきい値は、前記第１の光量しきい値と同一である
ことを特徴とする請求項１５に記載の電子装置を管理する方法。
【請求項１７】
前記測定された物理的な大きさは、時間的なデータアイテムであり、前記測定された時間的なデータアイテムは、第３の時間値と比較される
ことを特徴とする請求項１４に記載の電子装置を管理する方法。
【請求項１８】
前記第２の事象をテストするように構成する動作は、測定された時間データアイテムを第４の時間値と比較することを伴う
ことを特徴とする請求項１２に記載の電子装置を管理する方法。
【請求項１９】
前記第１、第２及び第３の基準が満たされるまで、干渉を最小にするように前記ステップ（ｂ）、（ｃ）及び（ｄ）が８分ごとに行われる
ことを特徴とする請求項１に記載の電子装置を管理する方法。
【請求項２０】
電子装置（１００）であって、
当該電子装置（１００）は、電気エネルギー（３）を格納する手段によって電気エネルギーが供給され、時間ベース（５）に接続されるマイクロコントローラ（１）を有するケースと、光量を測定する光量測定手段（９）と、及び当該電子装置（１００）が着用されているか否かを検出する磁気手段（１０）とを有し、
前記マイクロコントローラは、第１の表示手段（７ａ）と、アクティブ動作モードにおいて、前記マイクロコントローラ（１）によって、少なくとも前記時間ベースによって提供される第１の時間的なデータアイテムを少なくとも表示するように制御されるように構成する第２の表示手段（７ｂ）とに接続されており、
前記マイクロコントローラは、前記時間ベース（５）によって提供される第２の時間的なデータアイテムにリンクされる第１の基準及び当該電子装置（１００）が着用されているか否かを検出する手段（１０）によって提供される運動データアイテムにリンクされる第２の基準に従って、アクティブ動作モードからスタンバイモードへの変更をアクティブにし、前記アクティブ動作モードから前記スタンバイモードへの変更は、物理的又は時間的な大きさを表す第３の基準にも従って行われる
ことを特徴とする電子装置。
【請求項２１】
前記第３の基準は、前記光量測定手段（９）によって供給される光量データアイテムにリンクされ、前記第３の基準に応じて、前記アクティブ動作モードから、前記第１の表示手段が動作しない低度スタンバイモードへの変更を可能にする
ことを特徴とする請求項２０に記載の電子装置。
【請求項２２】
前記光量データアイテムは、前記光量測定手段（９）が測定した光量値を第１の光量しきい値と比較することによって得られる
ことを特徴とする請求項２１に記載の電子装置。
【請求項２３】
前記第１の基準は、前記時間ベース（５）によって測定された時間を第１の時間区間と比較することを伴い、これによって、前記時間ベースによって測定された前記時間が前記第１の時間区間内に含まれるか否かがわかるようにする
ことを特徴とする請求項２０に記載の電子装置。
【請求項２４】
前記第３の基準は、カウンターの値を第１のカウンター値に対してテストすることを伴い、前記第３の基準に応じて、前記アクティブ動作モードから前記第１の表示手段及び前記第２の表示手段が動作しない高度スタンバイモードへの変更を可能にする
ことを特徴とする請求項２０に記載の電子装置。
【請求項２５】
前記第１の基準は、前記時間ベース（５）によって伝えられた時間的なデータアイテムを第２の時間値と比較することを伴い、前記第１の基準は、前記時間ベースによって伝えられた前記時間データが前記第２の時間値と同一である場合に満たされる
ことを特徴とする請求項２０に記載の電子装置。
【請求項２６】
当該電子装置が着用されているか否かを検出する手段（１０）によって供給される運動データは、瞬間Ｔiにおいて当該電子装置の位置の第１の位置測定を行って、前記第１の測定と、記憶素子に格納された第２の測定との比較を伴い、前記第３の基準は、前記第１及び第２の測定が同一の場合に認証される
ことを特徴とする請求項２０〜２３のいずれか１項に記載の電子装置。
【請求項２７】
当該電子装置（１００）が着用されているか否かを検出する手段（１０）は、磁気センサー（１１）を有する
ことを特徴とする請求項２６に記載の電子装置。
【請求項２８】
前記磁気センサー（１１）は、前記ケースの内部に配置され、当該電子装置の加速度の少なくとも１つの軸を測定軸とする加速度計によって置き換えられる
ことを特徴とする請求項２７に記載の電子装置。
【請求項２９】
当該電子装置（１００）が着用されているか否かを検出する手段（１０）は、熱電気的センサー（１２）からなり、前記熱電気的センサーによって供給される運動データは、前記熱電気的センサーによってなされた測定と、体温を表す温度しきい値との比較を伴う
ことを特徴とする請求項２０〜２８のいずれか１項に記載の電子装置。
【請求項３０】
前記第１の表示手段（７ａ）は、電気モーターによって運動する少なくとも１つの針セットを有し、前記第２の表示手段（７ｂ）は、少なくとも１つのデジタル画面を有する
ことを特徴とする請求項２０〜２９のいずれか１項に記載の電子装置。
【国際調査報告】
2015525879.tif 000006
2015525879.tif 000007
2015525879.tif 000008
2015525879.tif 000009